(57)【要約】      （修正有）【課題】干渉断層撮影装置において、ペネトレーションを大きくする。【解決手段】干渉断層映像装置は、光源１と、光源１から出射した光源光を参照光と計測光とに分ける光分割部２ａと、被計測体Ｔで後方散乱した後方散乱光と、参照ミラーで反射した参照光とを干渉させて干渉光とする干渉部２ａと、干渉光を計測する光検出部４と、被計測体Ｔに対し超音波または音波または振動を与えることにより、前記後方散乱光および前記干渉光に変調を加える振動子９１と、光検出部４で計測された前記干渉光を復調する復調部５３と、復調された前記干渉光に基づいて、被計測体Ｔの光学的後方散乱特性を示す特性データを生成し、被計測体Ｔの画像データを生成する解析部５２とを備える。【選択図】図１
2009293998.tif 000002
【特許請求の範囲】
【請求項１】
光源と、
前記光源から出射した光源光を参照ミラーに照射する参照光と被計測体に照射する計測光とに分ける光分割部と、
前記計測光のうち前記被計測体で後方散乱した後方散乱光と、前記参照ミラーで反射した参照光とを干渉させて干渉光とする干渉部と、
干渉光を計測する光検出部と、
前記被計測体に対し超音波または音波または振動を与えることにより、前記後方散乱光および前記干渉光に変調を加える振動子と、
前記光検出部で計測された前記干渉光を復調する復調部と、
前記復調された前記干渉光に基づいて、前記被計測体の表面および内部の少なくとも一部における２次元または３次元の領域の光学的後方散乱特性を示す特性データを生成し、特性データに基づいて、前記被計測体の前記領域における構造、組成および材質の少なくとも１つに関する画像データを生成する解析部とを備える、干渉断層撮影装置。
【請求項２】
前記復調部は、前記振動子が前記被計測体に与える振動と周波数および位相が同じ信号を用いて、前記干渉光を同期検波することにより当該干渉光を復調する、請求項１記載の干渉断層撮影装置。
【請求項３】
前記振動子に駆動信号を与えることにより、前記被計測体に与える前記振動の振幅および周波数の少なくともいずれか１つを周期的に変化させて、当該振動に変調を与えることにより、前記後方散乱光および干渉光に２次変調を与える振動制御部をさらに備え、
前記復調部は、前記復調に加えて、さらに、前記干渉光の前記２次変調に対して２次復調する、請求項１に記載の干渉断層撮影装置。
【請求項４】
前記復調部は、前記駆動信号による前記２次変調と周波数および位相が同じ信号を用いて、前記２次変調に対して同期検波することにより、前記２次復調をする、請求項３記載の干渉断層撮影装置。
【請求項５】
前記振動子は、超音波を前記被計測体へ出射する超音波源であり、
前記解析部は、さらに、前記振動子による前記干渉光の変調の周波数に基づいて、前記被計測体における音響インピーダンス特性を示す音響特性データを生成し、当該音響特性データに基づいて、前記被計測体における構造、組成および材質の少なくとも１つに関する画像データを生成する、請求項１〜４のいずれか１項に記載の干渉断層撮影装置。
【発明の詳細な説明】
【技術分野】
【０００１】
本発明は、生物体の表面および内部の３次元空間における特性値を、干渉の原理を使って測定し、測定結果のデータを処理して、生物体内部の２次元または３次元の構造、組成、材料等を表す画像データを生成する干渉断層撮影装置に関する。
【背景技術】
【０００２】
従来、医療分野における検査や診断において、Ｘ線撮影装置、カメラ、超音波断層診断装置、Ｘ線ＣＴ、ＭＲＩ等が使用されてきた。また最近、光干渉断層撮影装置で内部の断層画像を計測する考案もなされてきている。
【０００３】
Ｘ線撮影装置で得られる像は、あくまで透過像であり、被計測体のＸ線進行方向の情報は重ね合わされて検出される。そのため、被計測体の内部構造を３次元的に知ることは困難である。また、Ｘ線は人体に有害であるため、年間被爆線量が決められており、資格を持った術者しか装置を扱えない上に、鉛・鉛ガラスなどの遮蔽部材に囲まれた部屋でしか使用できない。
【０００４】
カメラは、生体組織の表面のみを撮像するので、生体内部情報が得られない。Ｘ線ＣＴは、Ｘ線撮影装置と同様人体に有害である上に、分解能が悪く、装置も大型かつ高価である。通常使用されているＭＲＩ装置は、分解能が悪く、装置が大型かつ高価である上に、水分のない骨や歯等の硬組織の内部構造は撮影できない。
【０００５】
ところで、光干渉断層撮影装置は、人体に無害で、被計測体の３次元情報が高分解能で得られる。そのため、光干渉断層撮影装置は、角膜や網膜の断層計測等の眼科の分野で応用されている。また、内視鏡のタイプの光干渉断層撮影装置も考案されてきている。さらに、歯科分野においても光干渉断層撮影装置を用いる例が開示されている（特許文献１〜８、非特許文献１〜１０参照）。なお、光学干渉断層撮影装置は、光コヒーレンストモグラフィー装置と呼ばれることもある。以下では、光学干渉断層撮影装置を略してＯＣＴ装置を称する。ＯＣＴは、Ｏｐｔｉｃａｌ  ｃｏｈｅｒｅｎｃｅ  ｔｏｍｏｇｒａｐｈｙの略である。
【０００６】
上記従来のＯＣＴは、光源、フィイバーカップラ（分光器）、参照ミラー、光検出器、演算部を備える。光源から出射した光は、フィイバーカップラで参照光と計測光にの２系統に分岐する。参照光は、参照ミラーで鏡面反射して再びファイバカップラに戻り、計測光は、被計測体で反射・散乱・透過作用を受け、その一部である後方散乱光（ｚ方向反射光）がファイバカップラに戻る。ここで、計測光の照射方向をｚ方向とする。このようにして、再びファイバカップラに戻ってきた後方散乱光と、参照光とが干渉しあって干渉光となり、光検出器で検出される。演算部は、光検出器で検出された干渉光に基づいて、被計測体の断層画像データを生成し、出力する。
【０００７】
この様なＯＣＴ装置によって、非破壊、非接触で被計測体内部の高分解能な画像を得ることができる。用途としては一般の物体から、生体、人体、医用、眼科・皮膚科・内視鏡分野・歯科分野への適用有用性が発表されている。
【０００８】
特許文献１〜３は、ＯＣＴ装置を歯科に適用する場合に、従来の歯科用の設備に組み込む方法を開示している。例えば、光ファイバケーブルあるいは電力・信号線を用いて計測用のプローブの把持位置および方向を自由に設定できる構成が開示されている。また、深さ方向（ｚ方向）の走査をプローブ内でいかに行なうか、プローブから計測光をいかに射出するかについて言及している。特許文献４は、光源の波長を走査するフーリエドメイン方式の光干渉断層撮影装置を開示し、さらに、その波長域やプローブの構成等についても言及している。特許文献５〜８では、歯科用のハンドピースにプローブを組み込む提案がなされている。非特許文献１〜１０では、光干渉断層撮影装置を歯科に適用した場合の描像性能についての報告が成されている。
【０００９】
これらの歯科用途に用いられるＯＣＴ装置は、全て眼科をはじめとする歯科以外において実用または研究開発発表されているＯＣＴ装置を歯科に適用したものである。これらのＯＣＴ装置の基本構成は、上述の従来のＯＣＴ装置の基本構成と同じである。
【特許文献１】特開２００４−３４４２６０号公報
【特許文献２】特開２００４−３４４２６２号公報
【特許文献３】特開２００４−３４７３８０号公報
【特許文献４】特開２００６−１９１９３７号公報
【特許文献５】実用新案登録第３１１８７１８号
【特許文献６】実用新案登録第３１１８８２３号
【特許文献７】実用新案登録第３１１８８２４号
【特許文献８】実用新案登録第３１１８８３９号
【非特許文献１】レーザー研究  ２００３年１０月号：医療を中心とする光コヒーレンストモグラフィーの技術展開
【非特許文献２】Journal of Biomedical Optics, October 2002, Vol.7 No.4：Imaging caries lesions and lesion progression with polarization sensitive optical coherence tomography
【非特許文献３】APPLIED OPTICS, Vol.37, No.16, 1 June 1998: Imaging of hard-and soft-tissue structure In the oral cavity by optical coherence tomography
【非特許文献４】OPTICS EXPRESS, Vol.3,No.6,14 September 1998: Dental OCT
【非特許文献５】OPTICS EXPRESS, Vol.3,No.6,14 September 1998: In vivo OCT Imaging of hard and soft tissue of the oral cavity
【非特許文献６】２００４年度日本光学会年次学術講演会予稿集、５ａＦ６、フーリエドメイン光コヒーレンストモグラフィーによる歯科試料計測
【非特許文献７】２００５年度日本光学会年次学術講演会予稿集、２４ｐＥ５、３次元歯科計測へのスペクトル干渉断層法の応用
【非特許文献８】Photonics West 2006, 6079-66, In-Vivo three dimensional Fourier-Domain Optical Coherence Tomography for soft and hard oral tissue measurements
【非特許文献９】Photonics West 2006, 6137-03, Assessment of dental-caries using optical coherence tomography
【非特許文献１０】Journal of Dental Research 85(9)2006,Remineralization of Enamel Caries Can Decrease Optical Reflectivity
【発明の開示】
【発明が解決しようとする課題】
【００１０】
上記のＯＣＴでは、計測可能な被計測体の深さ（ペネトレーション：penetration）を大きくすることが求められている。そこで、ＯＣＴ装置におけるペネトレーションの計算例を以下に示す。
【００１１】
ここでは、被計測体が均質である場合を想定する。光源強度Ｉ0の光が被計測体に入射した場合の計測深さｚにおける後方散乱光の強度Ｉは、Ｉ＝ＲＩ0ｅｘｐ（−μｚ）ｅｘｐ（−μｚ）と計算することができる（Ｒは後方散乱率、μは減衰係数を示す）。そのため、光源強度Ｉ0であり、後方散乱光の強度がＳ／Ｎ限界強度ＩS=Nとなる場合の計測深さをｚ1とすると、ＩS=Nは、例えば、下記式（１）で表される。
【００１２】
【数１】
2009293998.tif 000003
【００１３】
同様に、光源強度がＫ倍（光源強度＝ＫＩ0）の場合の、後方散乱光のＳ／Ｎ限界強度ＩKは、下記式（２）で表すことができる。なお、下記式（２）において、ｚKは、Ｓ／Ｎ限界強度ＩKとなる場合の計測深さである。
【００１４】
【数２】
2009293998.tif 000004
【００１５】
上記式（１）および式（２）から、以下のような関係式が得られる。
【００１６】
【数３】
2009293998.tif 000005
【００１７】
上記の最終的な式（３）は、計測光をＫ倍した場合のペネトレーションの増加Δｚが減衰係数μに大きく依存することを示す。
【００１８】
ＯＣＴ装置において有用な光の波長範囲のうち、例えば人間の皮膚に対して最も減衰係数μの小さい波長１．３μの光ではμ＝３［ｍｍ-1］程度となる。そのため、計測光を２倍した場合には、ペネトレーションは０．１１６ｍｍ深くなる。例えば、皮膚より減衰が小さいと考えられる歯芽硬組織を、仮にμ＝１［１／ｍｍ］とすると、計測光を２倍にするとペネトレーションは０．３４６ｍｍ深くなる。逆に、ペネトレーションをΔz深くしたければ、光源強度を下記式（４）によるＫ倍しなければならない。
【００１９】
【数４】
2009293998.tif 000006
【００２０】
すなわち、被計測体が皮膚の場合は、ペネトレーションを２ｍｍ大きくするためには、光源強度を１６３０００倍にする必要がある。被計測体が歯科硬組織の場合（例えば、μ＝１［１／ｍｍ］の場合）には、ペネトレーションを２ｍｍ大きくするためには、光源強度を５４．６倍する必要がある。
【００２１】
以上のように、ペネトレーションは、被計測体の組織が持つ減衰係数μに依存する。そして、従来のＯＣＴ装置では、被計測体が比較的光をよく透過する歯牙組織である場合ですら、現状の最高出力の光源を使用してもペネトレーションは３ｍｍ程度が限界である。また、光源強度を強くしてペネトレーションを大きくするには、高価なＳＬＤ（スーパールミネッセントダイオード）や、非常に高価な可変波長光源レーザー光源を用いる必要がある。その結果、ＯＣＴ装置の価格が高額になる。
【００２２】
ペネトレーションが制限される主な要因は、ノイズである。ノイズはＯＣＴ装置の各部で混入または発生している。例えば、干渉光を検出する光検出器（多くの場合が光ダイオードやＣＣＤやＣＭＯＳ撮像デバイス）の暗ノイズや、ＯＣＴ装置に含まれる電子回路への電気的・磁気的・電磁波的ノイズが発生している。干渉光による信号がこのノイズ程度に小さくなる様な被計測体の深さがペネトレーションとなる。
【００２３】
そこで、本発明は、ペネトレーションを大きくすることができる、すなわち、被計測体のより深い位置の情報を得ることができる干渉断層撮影装置を提供することを目的とする。
【課題を解決するための手段】
【００２４】
本発明にかかる干渉断層映像装置は、光源と、前記光源から出射した光源光を参照ミラーに照射する参照光と被計測体に照射する計測光とに分ける光分割部と、前記計測光のうち前記被計測体で後方散乱した後方散乱光と、前記参照ミラーで反射した参照光とを干渉させて干渉光とする干渉部と、干渉光を計測する光検出部と、前記被計測体に対し超音波または音波または振動を与えることにより、前記後方散乱光および前記干渉光に変調を加える振動子と、前記光検出部で計測された前記干渉光を復調する復調部と、前記復調された前記干渉光に基づいて、前記被計測体の表面および内部の少なくとも一部における２次元または３次元の領域の光学的後方散乱特性を示す特性データを生成し、特性データに基づいて、前記被計測体の前記領域における構造、組成および材質の少なくとも１つに関する画像データを生成する解析部とを備える。
【００２５】
振動子により被計測体は振動するので、被計測体の後方散乱光は変調される。後方散乱光と参照光との干渉により生じる干渉光にも変調が加えられる。復調部により、干渉光が復調される。変調の行程では、振動子により後方散乱光および干渉光のある特性が変化し、復調の行程では、変調された干渉光から、本質的に変調前のもとの特性と同じ干渉光の情報が導出される。これにより、干渉光の強度がノイズと同レベルであったとしても、干渉光成分を抽出することができる。解析部は、このように、ノイズが除かれた干渉光に基づいて、被計測体の特性データおよび画像データを生成する。その結果、ペネトレーションを大きくすることができる。すなわち、被計測体のより深いところまで断層像を得ることができる。
【発明の効果】
【００２６】
本発明の干渉断層撮影装置によれば、被計測体のより深い位置の情報を得ることができる、すなわち、ペネトレーションを大きくすることができる。
【発明を実施するための最良の形態】
【００２７】
本発明の実施形態において、前記復調部は、前記振動子が前記被計測体に与える振動と周波数および位相が同じ信号を用いて、前記干渉光を同期検波することにより当該干渉光を復調する態様であってもよい。
【００２８】
本発明の実施形態において、干渉断層映像装置は、前記振動子に駆動信号を与えることにより、前記被計測体に与える前記振動の振幅および周波数の少なくともいずれか１つを周期的に変化させて、当該振動に変調を与えることにより、前記後方散乱光および干渉光に２次変調を与える振動制御部をさらに備え、前記復調部は、前記復調に加えて、さらに、前記干渉光の前記２次変調に対して２次復調する態様であってもよい。
【００２９】
復調部は、干渉光を前記復調し、さらに２次復調する。すなわち、干渉光は、２重に変調をかけられ、２重に復調される。これにより、ペネトレーションをさらに深くすることができる。
【００３０】
本発明の実施形態において、前記復調部は、前記駆動信号による前記２次変調と周波数および位相が同じ信号を用いて、前記２次変調に対して同期検波することにより、前記２次復調をする態様であってもよい。
【００３１】
本発明の実施形態において、前記振動子は、超音波を前記被計測体へ出射する超音波源であり、前記解析部は、さらに、前記振動子による前記干渉光の変調の周波数に基づいて、前記被計測体における音響インピーダンス特性を示す音響特性データを生成し、当該音響特性データに基づいて、前記被計測体における構造、組成および材質の少なくとも１つに関する画像データを生成する態様であってもよい。
【００３２】
超音波源の振動に起因する被計測体の後方散乱光への変調は、被計測体の音響インピーダンス特性を反映したものになっている。すなわち、変調の周波数には、被計測体の音響インピーダンス特性が反映されている。そのため、音響解析部は、変調の周波数に基づいて、被計測体の音響インピーダンス特性を示す音響特性データを算出することができる。その結果、被計測体の表面または内部の、音響インピーダンス特性に起因する構造、組成または材料等の画像が得られる。
【００３３】
（第１の実施形態）
［ＯＣＴ装置の構成例］
図１は、本実施形態にかかるＯＣＴ装置の基本構成を示す図である。図１に示すＯＣＴ装置は、ＯＣＴユニット（ＯＣＴ  Ｕｎｉｔ）Ｕ１、プローブユニット（Ｐｒｏｂｅ  Ｕｎｉｔ）Ｕ２およびＰＣユニット（ＰＣ  Ｕｎｉｔ）Ｕ３で構成される。ＯＣＴユニットは、時間的に低コヒーレントまたはコヒーレントな光源１、ファイバカップラ２ａ（光分割部・干渉部）、参照ミラー３、光検出器４（光検出部）およびレンズ７１〜７５を主に備える。
【００３４】
ファイバカップラ２ａは、光源１が出射した光を、参照ミラー３へ向かう参照光と、被計測体Ｔへ向かう計測光に分割する。計測光はプローブユニットＵ２に出力され、被計測体Ｔへ照射される。被計測体Ｔに入射した計測光のうち反射成分（後方散乱光成分）は、再びファイバカップラ２ａへ導かれる。ファイバカップラ２ａは、この後方散乱光と、参照ミラー３で鏡面反射して戻ってきた参照光とを干渉させ、干渉光として光検出器４へ出力する。
【００３５】
以下では、光源１よりファイバカップラ２ａへ至る光を光源光、ファイバカップラ２ａより参照ミラー３へ至り参照ミラーから反射して再びファイバカップラ２ａへ戻る光を参照光、ファイバカップラ２ａより被計測体Ｔへ至る光を計測光、被計測体Ｔ各部より反射して再びファイバカップラ２ａへ戻る光を後方散乱光、ファイバカップラ２ａより光検出器４および光源１へ至る光を干渉光と称する。
【００３６】
また、説明の都合上、計測光の進行方向をｚ方向とし、ｚ方向に垂直な面においてｘ方向、ｙ方向とする（図１の被計測体Ｔ付近に示す座標系参照）。ｘ軸とｙ軸は直行している。
【００３７】
さらに、計測光と参照光の光路差がゼロとなる干渉の中央地点のデータを得る動作をＰモード、ｚ方向の線状データを得る動作をＡモード、ｚ方向とｘ方向の２次元断面の断層データを得る動作をＢモード、Ｂモードの各断層のｙ方向に走査して、ｚ、ｘおよびｙ方向の３次元データを得る動作をＣモードとする。
【００３８】
上記のように、ファイバカップラ２aは、光分割部および干渉部の機能を果たす光学干渉器の一例である。光学干渉器とは、２つの入力光を干渉させて２方向に出力する入出力可換な光学部品である。ファイバカップラ２ａは、光の入出力に用いられる光ファイバ６−１〜４を備える。また、光源光・参照光・干渉光をコリメートまたは集光するためのレンズ７１〜７５が設けられる。光学干渉器の例として、ファイバカップラの他にビームスプリッタ、ハーフミラー等が挙げられる。光検出器４は、光検出部の一例である。光検出器４は、例えば、フォトダイオードが用いられる。
【００３９】
プローブユニットＵ２は、ＯＣＴユニットＵ１のファイバカップラ２ａから出力された計測光を被計測体Ｔへ導いて照射し、被計測体Ｔに入射した計測光のうち、後方散乱した成分（反射成分）を受光してファイバカップラ２ａへ導く機能を有する。そのため、プローブユニットＵ２は、ガルバノミラー８１、８２、レンズ７６、７７を備える。例えば、レンズ７６、７７は、計測光を集光し、後方散乱光をコリメートする。
【００４０】
本実施形態では、一例として、ガルバノミラー８１は計測光をｘ方向に走査し、ガルバノミラー８２は計測光をｙ方向に走査する。これらの走査は、後述するコンピュータ５の走査制御部５４ｃからの制御信号により制御される。なお、ｚ方向の被計測体Ｔの情報を得るための走査は、参照ミラー３を光軸方向に駆動することによって行うことができる。この方法は、参照ミラー駆動法（所謂タイムドメイン方式）と称される。
【００４１】
プローブユニットＵ２には、さらに、超音波振動子９１および超音波振動子９１のコントローラ９２が設けられている。超音波振動子９１は、超音波を発生させて被計測体Ｔに伝える。これにより、前記後方散乱に変調が加えられる。超音波振動子９１として、例えば、圧電振動子等が用いられる。なお、超音波の周波数は、１ＭＨｚ〜１００ＭＨｚの範囲が人体に対する超音波の透過率および反射率の観点から好ましい。
【００４２】
プローブユニットＵ２と、ＯＣＴユニットＵ１と間の光の伝達は、光ファイバ６３によって行われる。これにより、プローブユニットＵ２の位置および向きは、ＯＣＴユニットＵ１の位置および向きに制約を受けず、被計測体Ｔの状態に応じて柔軟に変化することができる。
【００４３】
ＰＣユニットＵ３は、例えば、パーソナルコンピュータ等のコンピュータ５および表示部５５を含む。コンピュータ５は、記録部５１、解析部５２、復調部５３および制御部５４を備える。制御部５４には、振動制御部５４ａ、光源制御部５４ｂおよび走査制御部５４ｃが含まれる。これらの各機能部の機能は、コンピュータ５が備えるＣＰＵが所定のプログラムを実行することにより実現される。記録部５１は、半導体メモリ、ハードディスクなど記録媒体により実現される。表示部５５は、例えば、液晶ディスプレイ、ＣＲＴ、ＰＤＰ、ＳＲＴ等などにより実現される。
【００４４】
復調部５３は、光検出器４が検出した、変調された干渉光を復調する。解析部５２は、復調部５３によって復調された干渉光を解析して、被計測体Ｔの表面および内部における２次元または３次元の領域の光学的後方散乱特性を示す特性データを生成する。さらに、解析部５２は、特性データに基づいて、被計測体Ｔの前記領域における構造、組成および材質の少なくとも１つに関する画像データを生成し表示部５５へ出力する。なお、上記特性データおよび画像データは適宜記録部５１へ記録される。
【００４５】
振動制御部５４ａは、プローブユニットＵ２のコントローラ９２に対して、振動子９１の周波数および位相を制御する駆動信号を送る。光源制御部５４ｂは、光源１へ制御信号を送る。走査制御部５４ｃは、プローブユニットＵ２のガルバノミラー８１、８２、ＯＣＴユニットＵ１の参照ミラー３へ制御信号を送ることにより、計測光をｘｙｚそれぞれの方向に走査する。なお、復調部５３は、振動制御部５４ａの駆動信号を取得し、振動子９１が発生した超音波と周波数および位相と等しい信号を発生させ、復調処理に用いることができる。
【００４６】
上述のように、本実施形態におけるＯＣＴ装置は、被計測体Ｔに対し超音波を伝える振動子を備える。さらに、このＯＣＴ装置は、光検出器４で検出されてＯＣＴユニットＵ１から出力される干渉光を、振動子に与える駆動信号に同期して復調する復調部５３を備える。これにより、干渉光を超音波で変調させ、計測された干渉光信号を変調超音波信号で復調することが可能になる。そのため、後述するように、ペネトレーションの増加が可能になる。
【００４７】
なお、ＯＣＴ装置の構成は、上記の構成に限られない。例えば、復調部５３は、コンピュータ５ではなく、ＯＣＴユニットＵ１に設けられてもよい。この場合、復調部５３は、例えば、光検出器４が出力する干渉光強度の信号を復調して、ＰＣユニットＵ３に送信する信号処理回路として設けられる。
【００４８】
また、例えば、ＯＣＴユニットＵ１、プローブユニットＵ２およびＰＣユニットＵ３のうちいずれか２つ、もしくは３つとも全てが、１つのユニットで形成されてもよい。
【００４９】
（ＯＣＴ装置の動作例）
次に、本実施形態におけるＯＣＴ装置の動作例を説明する。
【００５０】
まず、ＯＣＴユニットＵ１において、光源１より出射した光源光は、レンズ７１、７２でコリメートされ、ファイバカップラ２ａに至る。ファイバカップラ２ａで光源光は参照光と計測光の２系統に分岐する。参照光は参照ミラー３によって鏡面反射して再びファイバカップラに戻る。一方、計測光は被計測体Ｔの表面および内部で反射・散乱・透過作用を受け、計測光の一部である後方散乱光が再びファイバカップラ２ａへ戻る。この後方散乱光は、ｚ方向の物体反射光として被計測体Ｔ表面および内部における各部（例えば、時間軸上に変換されたｚ方向の被計測体Ｔの各部）の後方散乱係数情報を担っている。
【００５１】
この後方散乱光と、ファイバカップラへ戻った参照光とは、ファイバカップラ２ａにより干渉し、干渉光となって光源１と光検出器４へ分岐出射される。この干渉光の強度を光検出器４が検出する。
【００５２】
ここで、光源１は、時間的に低コヒーレンスな光源である。時間的に低コヒーレンスな光源から、異なった時刻に出た光どうしは極めて干渉しにくい。そのため、計測光および後方散乱光の光路の距離と、参照光の光路の距離がほぼ等しいときにのみ干渉信号が現れることとなる。そこで、参照ミラー３を参照光の光軸方向に動かして計測光および後方散乱光と参照光６との光路長差を変化させながら、光検出器４で干渉信号の強度を計測すると、被計測体Ｔの計測光入射方向（ｚ方向）の反射率分布（後方散乱率分布）を得ることができる。つまり、光路長差走査により、被計測体Ｔの奥行き方向の構造が得られる。
【００５３】
このように、後方散乱光は、その電磁波としての波形上に被計測体Ｔの情報を担っているが、光の現象があまりにも速いために、光波形を時間軸上で直接計測できる光検出器は存在しない。しかし、後方散乱光を参照光と干渉させることによって、被計測体Ｔ各部の後方散乱特性情報が光の強度の変化に変換される。そのため、干渉光の強度を光検出器４が検出することで、時間軸上で、被計測体Ｔのｚ方向における後方散乱特性の分布を検出することが可能となる。
【００５４】
ところで、振動子９１で発生した超音波は、被計測体Ｔの内部に浸透する。被計測体Ｔにおいて超音波が浸透するということはその超音波の周波数でその生体組織が振動するということである。その振動の周波数は発生超音波の周波数ｆである。被計測体Ｔの入射した部分の音響インピーダンスをＺ、超音波の音圧をｐとすると、被計測体Ｔの振動速度ｖrms（ｒｍｓ値）＝ｐ／Ｚとなる。そのため、被計測体Ｔの振動速度ｖ（瞬時値）も音響インピーダンスによって変化する。
【００５５】
波長λの計測光が被計測体Ｔに照射されたときに、被計測体Ｔが速度ｖで超音波振動を行っていると、被計測体Ｔからの後方散乱光の波長はλ（１±ｖ／ｃ）にドップラーシフトする（ｖは瞬時値）。したがって、このドップラーシフトのｒｍｓ値はλｖrms／ｃとなる（ｖrmsはｒｍｓ値）。このドップラーシフトは、タイムドメインのＯＣＴ装置においては参照光との干渉光の振幅変調（わずかに異なる波長の波が重ね合わさることによる振幅のうねり）をもたらす。そのため、干渉光における振幅変調のうねりの周波数は、超音波に対する生体組織の音響インピーダンス特性を反映することになる。すなわち、干渉光は、その強度（振幅）が通常のＯＣＴ装置としての被計測体Ｔの後方散乱特性（組織の後方散乱係数）の情報とともに、超音波に対する被計測体Ｔの音響インピーダンス特性の情報も担うことになる。
【００５６】
光検出器４は、このような振幅変調を受けた干渉光を検出し、干渉光の強度の時間的変化を表す信号に変換する。ＰＣユニットＵ３は、この信号を復調して解析することで、被計測体Ｔのより深い位置の断層画像を得ることができる。以下、復調処理の例を詳細に説明する。
【００５７】
超音波は、光と同じく被計測体Ｔに入射してからの深さと通過した組織の音響インピーダンスに応じて減衰していく。しかし、超音波は光よりもその減衰率は小さく、光に比べて、被計測体のより深い部分まで減衰なく到達する。
【００５８】
一方、後方散乱光は、例え超音波によりドップラーシフトを起こしていたとしても、被計測体Ｔにおいて後方散乱する位置の深さに応じて減衰する。その減衰度合いは超音波に比べて大きい。そのため、上述のように、従来のＯＣＴ装置では、後方散乱光の信号強度がノイズと同等レベルになるような深さにおける後方散乱光の信号は、有効な信号として捉えることができなくなる。
【００５９】
ここで、後方散乱光がドップラーシフトによる変調を受けている場合、光検出器４で検出された干渉光の信号を復調（例えば、同期検波）することによって、後方散乱光強度の成分を抽出することができる。すなわち、後方散乱光の成分よりノイズの方が大きくても、干渉光信号を、同期検波することで後方散乱光の強度を捉える（もちろん参照光との干渉作用を通してであるが）ことができる。このことによりＯＣＴ装置のペネトレーションを飛躍的に増大させることができる。
【００６０】
干渉光信号の同期検波は、例えば、復調部５３による次のような処理で実行される。復調部５３には、まず、振動子９１が被計測体に伝えた超音波（照射超音波）の基準となる基準信号が振動制御部５４ａから復調部５３へ入信される。この基準信号は前記照射超音波と周波数が等しく、位相差が一定の関係（進みか遅れの角度が一定）にあり、その周波数をｆ、位相をθとする。すなわち、被計測体Ｔの振動はこの基準信号に同期する。
【００６１】
復調部５３は、「干渉光信号（光検出器４が検出した干渉光の強度の信号）と基準信号との積の信号」と、「干渉光信号と基準信号と位相がπ／２異なる信号との積の信号」との積分信号を、複素信号として生成する。復調部５３は、この複素信号の絶対値を生成することによ  り、ノイズ成分を含まない干渉光信号を抽出することができる。
【００６２】
このように、同期検波は、基準信号に対して同一位相の成分（０度もしくは１８０度、１８０度の成分はマイナスとなる）を抽出する検波方法である。従って、９０度成分のみが反射してきた場合は、反射が無い（無限遠もしくは無反射からの反射）場合と区別することができない。そのため、本実施形態本における同期検波では、０度成分（もしくは１８０度成分）と９０度成分（もしくは２７０度成分）の双方を検波する方法が用いられる。すなわち、ｓｉｎ成分とｃｏｓ成分の双方を検波する。具体的には、上記のように、復号部３２は、ｓｉｎ成分とｃｏｓ成分をそれぞれ２乗して時間積分し、双方の和を取り、平方根を求める（絶対値を求める）処理を実行する。この積分の過程で異なる周波数のノイズは時間的に打ち消され、除去される。このような同期検波は一般的には複素検波（ベクトル検波）と呼ばれる場合もある。
【００６３】
解析部５２は、復調部５３で検波されてノイズ成分が除去された干渉光信号から、被計測体Ｔのｚ方向の後方散乱率分布を得ることができる。なお、上記処理を実行するために、振動制御部５４ａは基準信号生成回路、復調部５３は位相回路、乗算回路、積分回路、複素信号から絶対値を生成する回路等を備える構成であってもよい。もしくは、復調部５３および解析部５２の上記処理は、プロセッサが所定のプログラム（ソフトウエア）に従って動作することにより実現することもできる。
【００６４】
解析部５２はさらに、ドップラーシフトによる変調（後方散乱光の波長が超音波による振動に同期して変化する）の周波数（例えば、振幅変調のうねりの周波数ｆU）を計測することにより、被計測体Ｔ各部の超音波による振動の瞬時値もしくはｒｍｓ値を算出することができる。これにより、被計測体Ｔの音響インピーダンス特性分布を示すデータが得られる。このデータから、被計測体Ｔの音響インピーダンス特性を断層画像として得ることができる。
【００６５】
なお、解析部５２は、被計測体Ｔのｚ方向の後方散乱率分布と、前記音響インピーダンス特性の両方を用いて１つの断層画像を生成してもよいし、前記後方散乱率分布による断層画像と、前記音響インピーダンス特性による断層画像を、それぞれ生成してもよい。  以上、本発明の一実施形態について説明したが、本発明の実施形態が上記に限られない。以下、実施形態の変形例を説明する。
【００６６】
（２次検波する構成）
振動制御部５４ａは、振動子９１が被計測体Ｔに照射する超音波の振幅もしくは周波数に変調（２次変調）をかけてもよい。この場合、復調部５３は、干渉光信号に超音波の周波数で上述のように１次検波した後の信号を、この２次変調に対応した２次検波を実行する。この２次検波は、振動制御部５４ａがかけた２次変調の周波数および位相に同期した基準信号を用いた同期検波とすることができる。このように２次検波することで、よりノイズに埋もれた後方散乱光の信号を捉えることができ、ペネトレーションをさらに増大させることができる。
【００６７】
（同期検波対象となる信号の変形例）
上記実施形態では、光検出器４が検出した干渉光信号（干渉光の強度信号）に対して同期検波がなされる構成であるが、ＯＣＴユニットＵ１における、その他の出力、中間出力または内部入力に対して同期検波がなされてもよい。一例として、干渉光の強度信号をコンピュータで処理可能な干渉光の強度データに変換し、この干渉光の強度データに対して、基準信号がコンピュータで処理可能に変換されて得られる基準データを用いて、同期検波することもできる。この場合、ＣＰＵ等のプロセッサが所定のプログラム（ソフトウエア）により上記干渉光の強度データおよび基準データを処理することで、上述の同期検波が実行される。
【００６８】
（その他の変調―復調方法）
上記実施形態では、振幅変調および同期検波、ドップラー波長変調による、変調−復調方法が用いられているが、本発明に用いることができる変調―復調方法はこれに限られない。振動子９１が、後方散乱光の光位相および光波長等の特性を変化させることにより、干渉光の強度および波長を、振動子９１の超音波（もしくは音波）の周波数で変調する構成であり、復調部５３が、変調された干渉光から、変調前のもとの特性と本質的に同じ干渉光を導出する（変調された干渉光の強度の方を検波する）構成であれば、変調の方式は特に限定されない。例えば、スーパーヘテレロダイン方式等の復調方法を用いることができる。
【００６９】
（振動子の変形例）
上記実施形態では、振動子９１は、超音波を発生しているが、振動子９１は、超音波以外で被計測体Ｔを振動させてもよい。例えば、振動子９１は音波を発生させるスピーカーであってもよい。これにより、例えば、被計測体Ｔが、患者の歯の一部である場合には、患者が計測のタイミングを音により認識することができ、計測中になるべく歯（計測部位）を動かさないようにすることができる。
【００７０】
（超音波伝達手段）
上記実施形態では、超音波振動子９１は、被計測体Tに対して空中を介して超音波を照射する場合を想定している。しかし、超音波をよく透過する超音波透過部材を超音波振動子９１と被計測体Ｔの間に介在させてもよい。これにより、超音波の減衰を防止することができる。さらに、被計測体Ｔと超音波透過部材の間にゼリー状の物質を塗って、両者の境界での超音波の反射・散乱・吸収を防ぐことも好適である。
【００７１】
（ｚ方向走査手段の変形例）
上記実施形態では、光源をＳＬＤ（Ｓｕｐｅｒ  Ｌｕｍｉｎｅｓｃｅｎｔ  Ｄｉｏｄｅ）とし、参照ミラー３を駆動して参照ミラー３の各位置で干渉光を得ることにより参照ミラー３の位置に対応した被計測体Ｔの深さ方向（ｚ方向）の後方散乱計数特性を得る所謂タイムドメイン方式を用いる場合について説明した。ｚ方向の情報（Ａモード）を得るためのその他の方法として、例えば、レンズ７５の出力側に回折格子を設け、ｚ方向の時間軸情報を回折格子の回折方向の空間軸情報に変換し、光検出器４で検出するスペクトルドメイン方式（フーリエドメイン方式の一例）を用いることができる。この場合、光検出器４には、例えば、ＣＣＤ等の１〜２次元の撮像素子を用いることができる。また、ＰＣユニットＵ３の解析部５２では、光検出器４で検出された空間軸の強度分布を示すデータを、フーリエ変換等の演算により、時間軸情報すなわちｚ方向情報を示すデータに再構成する処理が行われる。
【００７２】
また、光源１として可変波長光源を用いるスウェプトソース方式（フーリエドメイン方式の他の一例）を用いることできる。
【００７３】
前述の様に、これらのフーリエドメイン方式を用いた場合でも、復調部５３は、上記実施形態と同様に、光検出器４で検出された干渉光強度分布の信号に対して同期検波することにより、復調することができる。例えば、光源をＳＬＤとし、干渉光を回折格子にて波長分光して検出するタイプのスペクトルドメインＯＣＴでは、分光された干渉光の各波長の光信号（分光した干渉光の各波長の強度信号）に対して、振動子に与える駆動信号に同期して検波することができる。
【００７４】
あるいは、光源を可変波長光源とし、計測光の波長を一定範囲で繰り返し走査するタイプのＯＣＴでは、計測光の各波長に対する干渉光の光信号に対して、振動子に与える駆動信号に同期して検波することができる。
【００７５】
これらのフーリエドメイン方式のＯＣＴでは、各波長に対応する干渉光信号をコンピュータで処理可能な干渉光データに変換して処理することができるが、この干渉光データに対して、振動子９１に与える駆動信号に同期して検波することもできる。
【００７６】
さらに、これらフーリエドメイン方式のＯＣＴでは、各波長に対応する干渉光データの波長分布を波長上でフーリエ逆変換して時系列分布のデータ（これが被計測体Ｔの深さ方向（ｚ方向）の後方散乱係数の分布を示す）を得ることができるが、このフーリエ逆変換後のデータに対して振動子に与える駆動信号に同期して検波することもできる。
【００７７】
（ｘ、ｙ方向走査の変形例）
上記実施形態では、ｘ方向とｙ方向の走査（ＢモードおよびＣモードを得るための手段）は、ガルバノミラーによる走査である。これら各モードを実現する方法についてはその他、様々の方式を用いることができる。例えば、参照ミラー走査によるｚ方向Ａモードに加えて、点光源からの点光束を、シリンドリカルレンズにより線光束としてｘ方向Ｂモード画像を得る方式（シリンドリカルレンズ方式）がある。さらに、シリンドリカルレンズによるｘ方向の情報取得と、ガルバノミラーによるｙ方向走査と組み合わせてＣモードを得ることもできる。また、この方法において、Ａモードの実現に参照ミラー駆動ではなく、フーリエドメイン方式を採用してもよい。
【００７８】
さらに、光源からの光をレンズを使って２次元面状に広げ、空中光学系を使って被計測体Ｔに面計測光束を照射し、参照ミラー３と同一光路長となる深さの被計測体内部のｘｙ面（厳密にはｘｙ面に近い球面となる）上のデータを得ることをもできる。この方式は、フルフィールド方式と称され、特殊なモードである。このフルフィールド方式に、参照ミラー駆動のＡモード走査を組み合わせる特殊なＣモード動作も可能である。
【００７９】
（ファイバカップラの変形例）
ファイバカップラの代わりにビームスプリッタ２ｂを用いても良い。この場合、光源１、ビームスプリッタ２ｂ、参照ミラー３、レンズ７６および光検出器４を光学的に適切に配置する必要がある。光ファイバ６１〜６４は必ずしも必要なくなる。また、コンパクトな配置等のために各所にミラーを用いたり場合によっては部分的に光ファイバを用いたりしてもよい。
【００８０】
以上、本実施形態およびその変形例について説明した。上記の実施形態によれば、ＣＯＴ装置は、被計測体Ｔに対し超音波または音波などで振動を与える振動子を備えている。ＯＣＴ装置は、ＯＣＴユニットＵ１における出力または中間出力または内部入力を前記振動子に与える駆動信号に同期して検波する機能を備えている。さらに、前記振動子に与える駆動信号の大きさ、周波数のいずれかひとつ以上を変化させて駆動信号変調を与える構成にしてもよい。その場合、１次検波した出力を、駆動信号変調に同期して２次検波する機能が設けられる。
【００８１】
このように、本実施形態のＯＣＴ装置は、まず超音波で変調させ干渉計測信号を変調超音波信号で復調させる。すなわち、上記のＯＣＴ装置では、超音波を被計測体に照射することによって、ｚ方向の後方散乱光にドップラー変調を与え、得られた信号を変調信号に基づいて復調する。これにより、光干渉信号がノイズに埋もれるほど小さくなる様な、被計測体の深い部分も撮像可能にする。
【００８２】
具体的には、振動子を超音波振動させ、被計測体に対し超音波または音波または振動を与え、ＯＣＴ装置の出力または中間出力または内部入力を前記振動子に与える駆動信号に同期して検波する。さらに、前記振動子に与える駆動信号の大きさ、周波数のいずれかひとつ以上を変化させて駆動信号変調を与えることにより、ペネトレーションをより深くできる最適な変調方法を選択することが可能になる。また、前記検波した出力を前記駆動信号変調に同期して２次検波する、つまり２重に変調をかけ、２重に検波することにより、ペネトレーションをさらに深くすることができる。
【００８３】
本実施形態にかかるＯＣＴ装置は、より表面より深い部分の断層画像が必要となる分野、特に歯科を含む医療の分野においては有用である。歯科において歯は歯根周囲を含む歯周領域の内部を観察するにはＸ線装置が広く用いられている。また近年、Ｘ線を用いた顎顔面領域専用のＣＴ装置も利用されつつある。また、超音波や通常の光干渉断層撮影装置を用いた研究発表や特許もいくつか発表・公開されている。しかしＸ線は患者や操作者の人体に対して侵襲性があり、超音波だけを利用したものは分解能に問題がある。そこで高分解能であるＯＣＴ装置が提案されつつあるが、前述の通りペネトレーションが２〜３ｍｍと非常に小さい。歯周や歯牙内部・歯根を観察するには、さらに大きなペネトレーションが必要となる。
【００８４】
本実施形態によれば、現在様々な研究、発表がされ、一部眼科等で実用化されつつあるＯＣＴ装置のペネトレーションを深くすることができる。そのため、本実施形態のＯＣＴは、歯科分野のように、深いペネトレーションを必要とする分野に利用される可能性が高い。
【図面の簡単な説明】
【００８５】
【図１】光干渉断層撮影装置の基本構成の一例を示す図
【符号の説明】
【００８６】
１  光源
２ａ  ファイバカップラ（光分割部・干渉部）
３  参照ミラー
４  光検出器（光検出部）
５  コンピュータ（演算部）
６１〜４  光ファイバ
７１〜７７  レンズ
８１、８２  ガルバノミラー
Ｕ１  ＯＣＴユニット
Ｕ２  プローブユニット
Ｕ３  ＰＣユニット
９１  超音波振動子
９２  コントローラ
【図１】
2009293998.tif 000007